(57)【要約】  無線通信システムで制御情報を送受信するための方法及び装置を開始する。基地局は制御情報を生成し、制御情報を少なくとも一つの制御チャネルエレメント（ｅＣＣＥ）及び少なくとも一つのアンテナポートを使用して伝送する。ここで、少なくとも一つのアンテナポートは、少なくとも一つの制御チャネルエレメントの開始インデックスと、前記少なくとも一つの制御チャネルエレメントの結合レベルのうち少なくとも一つによって決定される。
2015501586.tif 000002
【特許請求の範囲】
【請求項１】
複数のアンテナポートを備える無線通信システムにおいて、ユーザ端末機（ＵＥ）に制御情報を送信するための方法であって、
制御情報を生成するステップと、
前記制御情報を、少なくとも一つの制御チャネルエレメント（ｅＣＣＥ）及び少なくとも一つのアンテナポートを使用して伝送するステップと、を含み、
前記少なくとも一つのアンテナポートは、前記少なくとも一つの制御チャネルエレメントの開始インデックスと、前記少なくとも一つの制御チャネルエレメントの結合レベルのうち少なくとも一つによって決定されることを特徴とする制御情報の送信方法。
【請求項２】
前記開始インデックスは、
ポテンシャル制御情報の送信のために割り当てられた全てのリソース内の前記少なくとも一つの制御チャネルエレメントの開始インデックス及び、リソースブロック内の前記少なくとも一つの制御チャネルエレメントの開始インデックスのうち一つを含むことを特徴とする請求項１に記載の制御情報の送信方法。
【請求項３】
前記少なくとも一つのアンテナポートは、
前記ユーザ端末機に伝送される基準信号により表されることを特徴とする請求項１に記載の制御情報の送信方法。
【請求項４】
前記少なくとも一つのアンテナポートは、
ポテンシャル制御情報の送信のために割り当てられた全てのリソース内で、前記制御情報の送信のために使用される前記少なくとも一つの制御チャネルエレメントの最大制御チャネルエレメントインデックスと、
ポテンシャル制御情報の送信のために割り当てられた全てのリソース内で、前記制御情報の送信のために使用される前記少なくとも一つの制御チャネルエレメントの最小制御チャネルエレメントインデックスと、
一つのリソースブロック内で、前記制御情報の送信のために使用される前記少なくとも一つの制御チャネルエレメントの最大制御チャネルエレメントインデックスと、
一つのリソースブロック内で前記制御情報の送信のために使用される前記少なくとも一つの制御チャネルエレメントの最小制御チャネルエレメントインデックスと、
前記制御情報の送信のために使用される前記少なくとも一つの制御チャネルエレメントの個数のうち一つをさらに考慮して決定されることを特徴とする請求項１に記載の制御情報の送信方法。
【請求項５】
前記少なくとも一つのアンテナポートは、
前記制御情報のための送信階層の個数と、
現在サブフレームのインデックスと、
前記ユーザ端末機（ＵＥ）のＩＤのうち一つをさらに考慮して決定されることを特徴とする請求項１に記載の制御情報の送信方法。
【請求項６】
前記少なくとも一つの制御チャネルエレメントは、複数の制御チャネルエレメントを含むリソースブロックの一部であることを特徴とする請求項１に記載の制御情報の送信方法。
【請求項７】
複数のアンテナポートを備える無線通信システムにおいて、基地局（ｅＮＢ）から制御情報を受信するための方法であって、
少なくとも一つの制御チャネルエレメント（ｅＣＣＥ）と少なくとも一つのアンテナポートを使用して送信される制御情報を受信するステップと、
前記制御情報をデコーディングするステップと、を含み、
前記少なくとも一つのアンテナポートは、前記少なくとも一つの制御チャネルエレメントの開始インデックスと、前記少なくとも一つの制御チャネルエレメントの結合レベルのうち少なくとも一つによって決定されることを特徴とする制御情報受信方法。
【請求項８】
複数のアンテナポートを備える無線通信システムにおいてユーザ端末機（ＵＥ）に制御情報を送信するための基地局（ｅＮＢ）装置であって、
制御情報を生成する制御機と、
前記制御情報を、少なくとも一つの制御チャネルエレメント（ｅＣＣＥ）及び少なくとも一つのアンテナポートを使用して伝送する送信機と、を含み、
前記少なくとも一つのアンテナポートは、前記少なくとも一つの制御チャネルエレメントの開始インデックスと、前記少なくとも一つの制御チャネルエレメントの結合レベルのうち少なくとも一つによって決定されることを特徴とする基地局装置。
【請求項９】
複数のアンテナポートが備われる無線通信システムにおいて基地局（ｅＮＢ）から制御情報を受信するためのユーザ端末機（ＵＥ）装置であって、
少なくとも一つの制御チャネルエレメント（ｅＣＣＥ）と少なくとも一つのアンテナポートを使用して送信される制御情報を受信する受信機と、
前記制御情報をデコーディングする制御機と、を含み、
前記少なくとも一つのアンテナポートは、前記少なくとも一つの制御チャネルエレメントの開始インデックスと、前記少なくとも一つの制御チャネルエレメントの結合レベルのうち少なくとも一つによって決定されることを特徴とするユーザ端末機装置。
【発明の詳細な説明】
【技術分野】
【０００１】
本発明は無線通信システムにおける信号の送受信に関し、特に復調基準信号（DeModulation Reference Signal:ＤＭＲＳ）と制御チャネルとの間の暗黙的マッピング（implicit mapping）を提供する方法及び装置に関する。
【背景技術】
【０００２】
３ＧＰＰ（3rd Generation Partnership Project）ＬＴＥ（Long−Term Evolution）release８乃至１０で、制御チャネルはサブフレーム（subframe）の最初の数個のＯＦＤＭ（Orthogonal frequency Division Multiplexing）シンボル（symbol）で送信される。
【０００３】
通信システムが持続的に発展することによって、多くのユーザが同一のサブフレームでスケジューリング（scheduling）される必要があるので、既存のレガシー（legacy）制御チャネルの容量（capacity）は追加的な性能向上に障害になっている。制御チャネルの容量を向上させるために設計された、新しくかつ向上した制御チャネル（enhanced control channel:ｅＣＣＨ）は、レガシーシステムでデータ送信のために既に割当られたサブフレームの残りのＯＦＤＭシンボルを使用して伝送され得る。
【０００４】
一つの端末又は複数の端末のための複数のｅＣＣＨを一つのリソースブロック（Resource block）で多重化（multiplexing）できる。複数のｅＣＣＨは復調のために異なるアンテナポート（antenna port）において異なる基準信号（Reference signal）を有することができる。ｅＣＣＨで送信された制御情報を復元するために、ユーザは復調前にｅＣＣＨと基準信号との間のマッピング（mapping）関係に対する情報を獲得する必要がある。したがって、無線通信システムで制御チャネルを伝送するに当たって復調基準信号（ＤＭＲＳｓ）とｅＣＣＨとの間のマッピング規則に対する定義を必要とするようになった。
【発明の概要】
【発明が解決しようとする課題】
【０００５】
本発明は、無線通信システムで向上した制御チャネルエレメント（enhanced Control Channel Elements:ｅＣＣＥｓ）と基準信号アンテナポートとの間のマッピング関係を構成する方法及び装置を提供する。
【０００６】
本発明は、与えられたｅＣＣＥｓに対して向上した制御チャネル（enhanced Control Channel）伝送のためのアンテナポートの特定の組合せを使用するシステムを提供する。
【０００７】
本発明は、向上した制御チャネル伝送のために使用される全てのｅＣＣＥｓのためのアンテナポートの特定の組合せを使用するシステムを提供する。
【課題を解決するための手段】
【０００８】
本発明の望ましい実施形態によれば、複数のアンテナポートを備える無線通信システムにおいて、ユーザ端末機（ＵＥ）に制御情報を送信するための方法であって、制御情報を生成するステップと、制御情報を少なくとも一つの制御チャネルエレメント（ｅＣＣＥ）及び少なくとも一つのアンテナポートを使用して伝送するステップとを含む。ここで、少なくとも一つのアンテナポートは、少なくとも一つの制御チャネルエレメントの開始インデックスと、少なくとも一つの制御チャネルエレメントの結合レベルのうち少なくとも一つによって決定される。
【０００９】
本発明の他の実施形態によれば、複数のアンテナポートを備える無線通信システムにおいて、基地局（ｅＮＢ）から制御情報を受信するための方法を提供する。該方法は、少なくとも一つの制御チャネルエレメント（ｅＣＣＥ）と少なくとも一つのアンテナポートを使用して送信される制御情報を受信するステップと、制御情報をデコーディングするステップとを含む。ここで、少なくとも一つのアンテナポートは、少なくとも一つの制御チャネルエレメントの開始インデックスと、少なくとも一つの制御チャネルエレメントの結合レベルのうち少なくとも一つによって決定される。
【００１０】
本発明のさらに他の一実施形態によれば、、複数のアンテナポートがを備える無線通信システムにおいて、ユーザ端末機（ＵＥ）に制御情報を送信するための基地局（ｅＮＢ）装置を提供する。該装置は、制御情報を生成する制御機と、制御情報を少なくとも一つの制御チャネルエレメント（ｅＣＣＥ）及び少なくとも一つのアンテナポートを使用して伝送する送信機と、を含む。ここで、少なくとも一つのアンテナポートは、少なくとも一つの制御チャネルエレメントの開始インデックスと、上記少なくとも一つの制御チャネルエレメントの結合レベルのうち少なくとも一つによって決定される。
【００１１】
本発明のまたさらに他の実施形態によれば、複数のアンテナポートが備われる無線通信システムにおいて、基地局（ｅＮＢ）から制御情報を受信するためのユーザ端末機（ＵＥ）装置を提供する。該装置は、少なくとも一つの制御チャネルエレメント（ｅＣＣＥ）と少なくとも一つのアンテナポートを使用して送信される制御情報を受信する受信機と、上制御情報をデコーディングする制御機と、を含む。ここで、少なくとも一つのアンテナポートは、少なくとも一つの制御チャネルエレメントの開始インデックスと、少なくとも一つの制御チャネルエレメントの結合レベルのうち少なくとも一つによって決定される。
【図面の簡単な説明】
【００１２】
【図１】ＬＴＥ／ＬＴＥ−Ａシステムでリソース割当ての基本単位に対する一例を示した図である。
【図２】無線通信システムでＤＭＲＳの位置とポート定義によるリソースブロック内におけるＤＭＲＳポートを示した図である。
【図３】向上した制御チャネルエレメント（ｅＣＣＥ）の多様な形状（granularity）を示した図である。
【図４】物理リソースに対する論理ｅＣＣＥｓの多様なマッピングを示した図である。
【図５】本発明の一実施形態によるリソースブロック内でｅＣＣＥｓとアンテナポートとの間の暗黙的マッピングを示した図である。
【図６】本発明の他の実施形態によるｅＣＣＥｓとＲＢにかけて適用されるポートサイクリングを有するＤＭＲＳポート間の暗黙的マッピングを示した図である。
【図７】本発明の一実施形態による多様な結合レベルを考慮したｅＣＣＥｓとＤＭＲＳポートとの間の暗黙的マッピングを示した図である。
【図８】本発明の一実施形態による異なる結合レベルを有するeＰＤＣＣＨの送信のために使用されるｅＣＣＥｓを示した図である。
【図９】本発明の一実施形態によるｅＮＢ側でのeＰＤＣＣＨスケジューリング手順を示した図である。
【図１０】本発明の一実施形態によるＵＥ側でのeＰＤＣＣＨスケジューリング手順を示した図である。
【図１１】本発明の一実施形態によるｅＮＢの構成を示したブロック図である。
【図１２】本発明の一実施形態によるＵＥの構成を示したブロック図である。
【発明を実施するための形態】
【００１３】
以下、本発明の望ましい実施形態を添付の図面を参照して詳細に説明する。また、本発明を説明するに当たって、関連した公知機能又は構成に対する具体的な説明が本発明の要旨を不必要に不明確にする可能性があると判断された場合はその詳細な説明は省略する。また、後述する用語は本発明での機能を考慮して定義された用語であって、これはユーザ、運用者の意図または慣例などによって変わることがある。したがって、その定義は本明細書全般に渡る内容に基づいて定められるべきである。
【００１４】
本明細書では、無線通信システム、例えば、Ｅ−ＵＭＴＳ  ＲＡＮ（Evolved Universal Mobile Telecommunications System terrestrial Radio Access Network）のような無線通信システムで、情報の伝達のために適用される本発明の実施形態を説明するが、本発明がこのような説明に制限されないのは明らかである。
【００１５】
本発明の実施形態は、少なくとも一つの基地局（base station（ＢＳ）又はenhanced NodeB（ｅＮＢ））と少なくとも一つのユーザ端末機（mobile station（ＭＳ）or user equipment（ＵＥ））とを有する無線セルラー通信システムに関し、特にｅＮＢがｅＮＢ／ＵＥによるダウンリンク（downlink:ＤＬ）及びアップリンク（uplink:ＵＬ）送信の両方をスケジューリングするように構成された無線通信システムに関する。ｅＮＢによるスケジューリングはサブフレームに基づいて実行され、スケジューリング指示はダウンリンク送信の各サブフレームで制御チャネルを通してｅＮＢからＵＥに送信される。
【００１６】
後述する説明で、３ＧＰＰ ＬＴＥ release８乃至１０は、レガシーシステムと見なされ、Release１１及びそれ以後のシステムは、本発明の実施形態が具現できるシステムと見なされる。また、本発明は適合する全ての他のセルラー通信システムにも適用できる。
【００１７】
ダウンリンクデータ情報は、ダウンリンク物理共有チャネル（Physical ＤＬ shared Channel:ＰＤＳＣＨ）を通して伝えられる。ダウンリンク制御情報（Downlink Control Information:ＤＣＩ）は、ＵＥに対するダウンリンクチャネル状態情報（downlink channel status information:ＤＬＣＳＩ）フィードバック（feedback）要求と、ＵＥからアップリンク送信のためのスケジューリング割当て（Scheduling Assignment:ＳＡ）（ＵＬＳＡ）、又はＵＥによるＰＤＳＣＨ受信のためのダウンリンクＳＡ（ＤＬ ＳＡ）を含む。ＳＡは、各ダウンリンク物理制御チャネル（Physical ＤＬ Control Channel:ＰＤＣＣＨ）で送信されるＤＣＩフォーマットを通して伝えられる。ＳＡに追加して、ＰＤＣＣＨは、全てのＵＥ又はＵＥのグループに共通するＤＣＩを伝達できる。
【００１８】
３ＧＰＰ ＬＴＥ／ＬＴＥ−Ａシステムで、ダウンリンク送信は、全体システム帯域幅が複数のサブキャリア（subcarrier）に区分される直交周波数分割多重接続（Orthogonal Frequency Division Multiple Access:ＯＦＤＭＡ）を使用して行われる。一例として１２個の連続的なサブキャリアのグループがリソースブロック（Resource block:ＲＢ）を構成できる。ＲＢは、ＬＴＥ／ＬＴＥ−Ａシステムでリソース割当ての基本単位となる。時間領域で、リソース割当の基本単位はサブフレームである。
【００１９】
図１は、ＬＴＥ／ＬＴＥ−Ａシステムで、リソース割当ての基本単位に対する一例を示す。図示したように、各サブフレームは、１４個の連続的なＯＦＤＭシンボルで構成される。リソースエレメント（Resource Element:ＲＥ）は、図１において四角形で示されるサブキャリアとＯＦＤＭシンボルの交点（intersection）であり、各リソースエレメントで一つの変調シンボルが送信できる。
【００２０】
図１に示すように、異なる時間及び周波数リソースは、異なる信号タイプを送信するために使用されることができる。セル特定基準信号（Cell specific Reference signal:ＣＲＳ）は、初期接続及びハンドオーバ動作のようなＵＥ移動性をサポートし、レガシーＰＤＳＣＨ送信モード（transmission mode）をサポートするために送信される。復調基準信号（Demodulation Reference signal:ＤＭＲＳ）は、新たなＰＤＳＣＨ送信モードをサポートするために送信される。
【００２１】
制御チャネルは、ＵＥに制御領域のサイズ（size）と、ダウンリンク／アップリンクスケジューリング割当てと、アップリンクＨＡＲＱ（Hybrid Automatic ＲＥtransmission request）動作のためのＡＣＫ／ＮＡＣＫを通報するために送信される。チャネル状態情報−基準信号（Channel Status Information reference signal:ＣＳＩ−ＲＳ）は、ＵＥにＣＳＩフィードバックの目的でダウンリンクチャネルを測定する基準信号を提供するために送信される。ＣＳＩ−ＲＳは、インデックスＡ，…，Ｊで表示されるＲＥのグループのうちいずれか一つに送信されることができる。
【００２２】
ゼロ電力（zero power）ＣＳＩ−ＲＳ（すなわち、ミューティング）は、インデックスＡ，…，Ｊで表示されるＲＥ位置が基準信号、データ信号、又は制御信号の送信のために使用されない場合に該当ＲＥ位置に構成されることができる。ゼロ電力ＣＳＩ−ＲＳ／ミューティングは、ＬＴＥ−Ａシステムで隣接送信ポイントからＣＳＩ−ＲＳを受信するＵＥの測定性能を向上させるために使用される。ＰＤＳＣＨは、ＣＲＳと、ＤＭＲＳと、ＣＳＩ−ＲＳと、ゼロ電力ＣＳＩ−ＲＳの送信のために使用されないＲＥの上のデータ領域で送信される。
【００２３】
上記で説明した通り、ｅＮＢは、アップリンク／ダウンリンクスケジューリング割当て又はＣＳＩフィードバック要求指示のような多様な目的のためにレガシーＬＴＥ／ＬＴＥ−ＡシステムでＰＤＣＣＨを送信する。周波数選択的スケジューリング（frequency selective scheduling）と複数のＵＥに対する同時送信（simultaneous transmissions）を使用して性能を向上させるＯＦＤＭＡシステムの特性により、最適化されたシステム性能のためには複数のＵＥに送信される複数のＰＤＣＣＨが必要である。また、異なるＵＥのためのＰＤＳＣＨをアンテナ技術を使用して空間的に分離する多重−ユーザ（Multi−User）ＭＩＭＯ（Multiple Input Multiple Output）（MU−MIMO）伝送のために、複数のＵＥに同時にＰＤＣＣＨを送信する必要がある。
【００２４】
３ＧＰＰ Release８乃至１０で、制御チャネルは、ＵＥがデータデコーディングのために十分に速くスケジューリング情報を獲得できるように一般的にサブフレームの開始部分で送信される。レガシーシステムで、ＰＤＣＣＨは、サブフレームで最初のＯＦＤＭシンボル乃至三番目のＯＦＤＭシンボルで送信できるように構成される。
【００２５】
無線通信システムでＰＤＣＣＨ容量の問題を克服してダウンリンク／アップリンクスケジューリング割当てを送信するのに充分な能力を提供するために、向上した物理データ制御チャネル（Enhanced Physical Data Control Channel:Ｅ−ＰＤＣＣＨ又はeＰＤＣＣＨ）と称される新たな制御チャネル（enhanced control channel:ｅＣＣＨ）がＬＴＥ−Ａ Release１１で開発されたことがある。
【００２６】
ＰＤＣＣＨ容量の問題を招く重要な要素は、サブフレームの最初の一番目のＯＦＤＭシンボル乃至三番目のＯＦＤＭシンボルを通して送信されるということである。また、複数のユーザが同一の周波数リソースと時間リソースを使用して頻繁にスケジューリングされるＭＵ−ＭＩＭＯにおいて、ＰＤＣＣＨ容量の限界により、性能改善の効果が深刻に制限される。ＰＤＣＣＨとは異なり、eＰＤＣＣＨは、ＰＤＳＣＨとほとんど同一のサブフレームのデータ領域で送信される。
【００２７】
《ＬＴＥ Ｒｅｌ８におけるＰＤＣＣＨ構造》
前述した通り、３ＧＰＰ ＬＴＥ Release８乃至１０で、ＰＤＣＣＨは、最初の数個のＯＦＤＭシンボルに存在する。ＰＤＣＣＨのために使用されるＯＦＤＭシンボルの個数は、最初のＯＦＤＭシンボルの物理制御フォーマット指示チャネル（Physical Control Format Indication Channel:ＰＣＦＩＣＨ）で指示される。各ＰＤＣＣＨは、Ｌ個の制御チャネルエレメント（Control Channel Element:ＣＣＥ）で構成され、Ｌ＝１，２，４，８は、異なる制御チャネルエレメント（Control Channel Element:ＣＣＥ）結合レベル（aggregation level）を表し、各ＣＣＥは、システム帯域幅全般に分散されている３６個のサブキャリアで構成される。
【００２８】
《ＰＤＣＣＨ伝送及びブラインドデコーディング》
複数のＰＤＣＣＨにはユーザ−特定（user−specific）ＣＲＣ（Cyclic redundancy Check code）が付加され、以後ＣＣＥ結合レベル１，２，４又は８によって、リンク品質に対応するようにエンコーディング（encoding）及びレートマッチング（rate matching）されて多重化（multiplexing）された後にＰＤＣＣＨリソースにマッピングされる。ＵＥ側で、ＵＥは、任意のＣＣＥ結合レベルを仮定し、ユーザ−特定ＣＲＣを使用することによって、予め決定された探索空間（search space）内でＰＤＣＣＨを探索すべきである。ＰＤＣＣＨが検出され識別される前にＵＥが数回のデコーディングを試す必要があるので、これはブラインドデコーディング（blind decoding）と称される。
【００２９】
《ＤＣＩ伝送》
一般的に、ＰＤＣＣＨ送信はダウンリンク制御指示（downlink control indication:ＤＣＩ）送信を表す。一つのサブフレームで一つのＵＥをターゲットとする複数のＤＣＩが存在でき、ＤＣＩは一個又は複数のＵＥをターゲットとすることができる。多様なタイプ（type）のＤＣＩフォーマット（format）が存在するが、一例で、ダウンリンクグラント（grant）は、現在のサブフレームでＰＤＳＣＨ送信のためのリソース割当及び送信特性を伝達するために使用され、他の例で、アップリンクグラントは、アップリンクサブフレームでＰＵＳＣＨ送信のためのリソース割当て及び送信特性を伝達するために使用される。
【００３０】
《ＰＤＳＣＨ伝送及びＵＥ−特定基準信号》
ＰＤＣＣＨ領域以後の全てのＯＦＤＭシンボルはＰＤＳＣＨとして割り当てられることができる。データシンボルは、基準信号のために割り当てられたリソースエレメントを除外したＯＦＤＭシンボルのサブキャリアにマッピングされる。
【００３１】
ＤＭＲＳとしても知られたＵＥ−特定基準信号は、ビームフォーミング（beam forming）送信を簡単に実現するために導入され、ビームフォーミング送信で複数のアンテナは送信前に異なる加重値（weight）を有してプリコーディング（pre−coding）される。ＵＥ−特定基準信号は、同一のリソースブロックで送信されるデータのプリコーダと同一のプリコーダでプリコーディングされる。プリコーダを適用することによって、上記受信された信号は、幾つかの新たなアンテナポートから同等（equivalent）であることができる。したがって、上記ＵＥは、正確なフリコーダ情報を知らなくても上記信号が上記仮想アンテナポートから送信される信号であると仮定することによって、上記受信信号をデコーディングすることができる。
【００３２】
図２は、リソースブロック内で使用されるアンテナポートを示す。特に、図２は、３ＧＰＰ Release１０でのＤＭＲＳの位置及びポート定義によるリソースブロック内でＤＭＲＳポートを示す。
【００３３】
図２を参照すると、上記位置及びポート定義は、＃７〜＃１４の最大８個のポートまでサポートできる。最大４個までのＤＭＲＳポートが使用される場合、ポート＃７／８／９／１０の信号は、時間領域で拡散係数（spreading factor）２を使用して拡散される。４個以上のＤＭＲＳポートが使用される場合、全てのポートの信号は、時間領域で拡散係数４を使用して拡散する。
【００３４】
eＰＤＣＣＨ送信のために、システムは、eＰＤＣＣＨ送信のためのリソースブロックの集合を予め構成する。上記構成はＵＥ−特定（ＵＥ−specific）、ＵＥ−グループ−特定（ＵＥ−group−specific）又はセル特定（cell−specific）であり得る。また、上記構成は、物理階層シグナリング（physical layer signaling）又は上位階層シグナリング（higher−layer signaling）、例えばＲＲＣ（Radio resource Control）シグナリングを通してＵＥに指示されることができる。上記構成が物理階層シグナリングを通して送信される場合、上記構成はレガシー制御チャネルで特定ダウンリンク制御指示（ＤＣＩ）であり得る。
【００３５】
eＰＤＣＣＨが構成される場合、ｅＣＣＥｓが追加的に割り当てられる。基本的に局部的割当て（localized）及び分散割当て（distributed）と称される２個のタイプ（type）のｅＣＣＥ割当てが遂行されることができる。局部的ｅＣＣＥ割当てにおいて、ｅＣＣＥは同一の一つのリソースブロックからリソースエレメントで構成され、一つのリソースブロックは一つ又は複数のｅＣＣＥｓで構成される。分散割当てｅＣＣＥ割当てで、一つのｅＣＣＥは複数のリソースブロックからリソースエレメントで構成され、一つのリソースブロックは複数のｅＣＣＥｓの複数の部分で構成される。
【００３６】
図３は、向上した制御チャネルのためのｅＣＣＥの多様な形状（granularities）を示す。特にｅＣＣＥの形状は（ａ）、（ｂ）及び（ｃ）で各々ＰＲＢ（Physical ＲＢ）の１／２、１／３、及び１／４として定義される。
【００３７】
図３を参照すれば、サブフレーム（subframe）の連続するキャリア（carrier）が一つのｅＣＣＥにグルーピングされる。異なるタイプの基準信号の不均衡分布を考慮する場合、ｅＣＣＥ当たりＲＥの個数は、ＲＢにおけるｅＣＣＥの位置によって変更されることができる。
【００３８】
図４は、物理リソースに対する論理ｅＣＣＥｓの多様なマッピングを示す。
【００３９】
図４内の（ｂ）及び（ｄ）を参照すれば、リソース分布を均一にするために、ＲＢ内に均一に分布しているサブキャリア（subcarrier）はｅＣＣＥを形成するためにグルーピングされる。それぞれの場合に対して、上記サブキャリアのグルーピングは、簡単なモジュール（modular）演算によって行われる。（ｋｍｏｄＮ）＝ieCCERBである場合（ここで、ＮはＲＢ内のｅＣＣＥｓの全体個数を示す）、リソースエレメント（ｋ，ｌ）は、ＲＢ内のieCCERB番目のｅＣＣＥに含まれる。ここで、ｋは、ＲＢ内のサブキャリアインデックス（index）であり、ｌは、サブフレーム内のＯＦＤＭシンボルインデックスである。
【００４０】
図４で、（ａ）及び（ｂ）に対しては、Ｎ＝２であり、（ｃ）及び（ｄ）に対しては、Ｎ＝３である。
【００４１】
いくつかの連続的なサブキャリアがｅＣＣＥ部分にまずグルーピングされ、分散された（distributed）ｅＣＣＥ部分が一つのｅＣＣＥにグルーピングされる。一例として、分散された２−サブキャリアｅＣＣＥ部分グルーピングで、
【数１】
2015501586.tif 000003
が成立する場合（ここで、ＮはＲＢ内のｅＣＣＥｓの全体個数を示す）、リソースエレメント（ｋ，ｌ）はＲＢ内のieCCERB番目のｅＣＣＥに含まれる。
【００４２】
他の実施形態で、ＲＢはＲＢグループにグルーピングされ、各ＲＢグループは一個以上のＲＢを有する。したがって、各ｅＣＣＥは、ＲＢグループ内で（ほとんど）均一に分散された複数のサブキャリアが含むように形成される。一例が図４（ｅ）に図示され、図４（ｅ）でｅＣＣＥは２個のＲＢ内で複数のサブキャリアを含む。
【００４３】
図４に示されるように、複数のｅＣＣＥｓは、固有インデックスを有するそれぞれの論理ｅＣＣＥを含む単一ＲＢを通して送信できる。さらに、各ｅＣＣＥは、他のｅＣＣＥのためのＲＥの集合と交差されないＲＥの集合を通して送信される。ここで、ｅＣＣＥ論理インデックスは別途の言及がない限り、ｅＣＣＥ基準（reference）と称する。
【００４４】
eＰＤＣＣＨをデコーディングするために、ＵＥは、ｅＮＢからＤＣＩがどこに存在するかを指示する指示情報を受信するか、又は探索空間内でeＰＤＣＣＨをブラインドデコーディングすることができる。上記の指示情報は、ＤＣＩがどこに存在するかを指示し、レガシー制御チャネルを使用するか、又は上位階層指示を通して送信できる。
【００４５】
eＰＤＣＣＨをブラインドデコーディングする場合に、探索空間は各結合レベル（aggregation level）のためのｅＣＣＥｓの結合（aggregations）の集合として定義される。すなわち、探索空間は各結合レベルに対して定義される。一例として、結合レベルｌ１の探索空間は単一ｅＣＣＥｓの集合で構成され、結合レベルｌ２の探索空間は２個のｅＣＣＥｓの組合せの集合で構成される。レガシーＰＤＣＣＨは結合レベル１／２／４／８をサポートする。同一の結合レベルは普遍性（generality）を有してeＰＤＣＣＨに対して仮定される。
【００４６】
eＰＤＣＣＨの送信はサブフレームのデータ領域で行われる。追加的に、ＵＥはeＰＤＣＣＨを復調するための基準信号としてＤＭＲＳを使用する。図２で説明するように、ＬＴＥ／ＬＴＥ−Ａ ＰＲＢで複数のＤＭＲＳポートが存在するために、ＵＥは、eＰＤＣＣＨを復調する場合にどんなＤＭＲＳポートが使用されるかを決定する方法が必要である。
【００４７】
また、ＰＤＣＣＨ又はeＰＤＣＣＨ内の制御情報がＵＥにどんなＤＭＲＳポートが使用されるかを指示する場合、ＰＤＳＣＨはＤＭＲＳを使用して送信されることができる。しかし、eＰＤＣＣＨに対して、ＵＥにeＰＤＣＣＨ復調のためにどんなＤＭＲＳポートを使用されるかを通報する他の制御チャネルは存在しない。したがって、eＰＤＣＣＨ復調のために使用するＤＭＲＳポートを決定する規則又は方法に対する必要性が台頭している。
【００４８】
ＤＭＲＳがeＰＤＣＣＨ復調のために使用される場合、ＵＥは事前にＵＥのeＰＤＣＣＨ送信のためにどんなＤＭＲＳポートが使われているかに対する情報を獲得しなければならない。他の方式として、ＵＥは、eＰＤＣＣＨ送信のためにどんなＤＭＲＳポートが使われているかに対する情報を獲得するために高い複雑度を有する完全ブラインドデコーディング（exhaustive blind decoding）を実行することがある。ＤＭＲＳポート割当てに対する情報は固定的であり、一例として、常にポート７及び／又はポート８を使用することができる。しかし、さらに望ましい多重化サポートと干渉平均（interference  averaging）のために、同一のＲＢで多重化された他のＵＥのための他のＤＭＲＳポートを使用することも望ましい。
【００４９】
ＤＭＲＳポートは各ｅＣＣＥのために予め定義される。
【００５０】
図５は、本発明の一実施形態によるリソースブロック内でｅＣＣＥｓとＤＭＲＳポートとの間の暗黙的マッピングを示す。
【００５１】
図５を参照すれば、一つのポートが一つのｅＣＣＥに結合される。すなわち、ＲＢで０番目のｅＣＣＥは常にポート７に割り当てられ、ＲＢで最初のｅＣＣＥは常にポート８に割り当てられ、ＲＢで２番目のｅＣＣＥはポート１１に割り当てられる。ポート11とポート１２を使用すると、ＰＤＳＣＨ送信又はｅＰＤＣＣＨ送信のためにＤＭＲＳポート＃８／９／１３／１４のためのリソースを解除できる。また、システムはポート１１とポート１２の代りに各々ポート９とポート１０を使用することができる。
【００５２】
ｅＣＣＥｓとＤＭＲＳポートの間の暗黙的マッピングを使用することによって、ＵＥはどんなＤＭＲＳポートが使われているかに対するｅＮＢからの明示上（explicit）シグナリングがなくても、eＰＤＣＣＨを復調する場合、どんなＤＭＲＳポートが使用されるのかを導出することができる。
【００５３】
一例として、ＵＥが図５（c）のｅＣＣＥ1でeＰＤＣＣＨを復調及びデコーディングする必要がある場合、ＵＥはＤＭＲＳポート８が使用されると暗黙的に仮定をすることができる。他の例として、ＵＥが図５（ｃ）のｅＣＣＥ３でｅＰＤＣＣＨを復調及びデコーディングする必要がある場合、ＵＥはＤＭＲＳポート１２が使用されると暗黙的に仮定をする。ＵＥはｅＰＤＣＣＨ復調のためにどんなＤＭＲＳが使用されるのかを決定するためにｅＮＢからどんなシグナリングも必要せず、単にどんなｅＣＣＥがｅＰＤＣＣＨのために仮定されるかに対するマッピング情報だけ必要とする。図３、図４、又は図５のようにインデックスを割り当てることによって複数のｅＣＣＥｓが区分できるのに留意すべきである。
【００５４】
他の実施形態でＲＢ内の位置に基づいてｅＣＣＥｓを区分できる。
【００５５】
図５に示されるように、送信されるｅＰＤＣＣＨが一つのｅＣＣＥだけを含む場合、ｅＰＤＣＣＨの送信は各ｅＣＣＥのインデックスに基づいて行われ、割り当てられたｅＣＣＥがＲＢ内で０番目のｅＣＣＥである場合、該当ｅＣＣＥのためにポート７が使用される。単一ｅＣＣＥを有するｅＰＤＣＣＨ送信は「結合レベル１を有するｅＰＤＣＣＨ送信」と称する。したがって、２、４、又は８個のｅＣＣＥｓを有するｅＰＤＣＣＨ送信は各々「結合レベル２、４、又は８を有するｅＰＤＣＣＨ送信」と称する。
【００５６】
eＰＤＣＣＨが一個以上のｅＣＣＥを有する場合、各ｅＣＣＥは異なるポート個数を有することができる。探索空間内の各ｅＣＣＥに対して、ＵＥは、どんなポートが該当ｅＣＣＥに結合されるかに基づいて各ｅＣＣＥ別のチャネル推定を実行する。
【００５７】
図６は、本発明の他の実施形態によってｅＣＣＥｓとＲＢにかけて適用されるポートサイクリング（portcycling）を有するＤＭＲＳポートの間の暗黙的マッピングを示す。ここではＲＢにかけるポートサイクリングパターン（portcycling pattern）を示す。上記マッピングパターン（mapping pattern）は、周波数領域でＲＢ毎に異なることがある。また、上記マッピングパターンは、時間領域でサブフレームインデックスに関して変更できる。この場合、ＵＥはＲＢインデックスを検査し、各ｅＣＣＥのためのＤＭＲＳポートを決定するためにｅＣＣＥインデックスに追加して選択的にサブフレームインデックスを検査するようになる。
【００５８】
上記で説明したような実施形態で、eＰＤＣＣＨは高い結合レベルのために異なるアンテナポートを使用することができる。一例として、上記ＵＥが図５（c）のｅＣＣＥ２とｅＣＣＥ３で結合レベル２を有するｅＰＤＣＣＨを復調及びデコーディングする必要がある場合、ＵＥは、ＤＭＲＳポート１１とＤＭＲＳポート１２が使用されると暗黙的に仮定する。ＵＥは、複数のＤＭＲＳアンテナポートをモニターリングしなければならないので、チャネル推定において複雑度も有することがある。
【００５９】
eＰＤＣＣＨは、eＰＤＣＣＨの全ての統合されたｅＣＣＥｓに対する復調のために同一のＤＭＲＳポートを使用することができる。ＤＭＲＳポートの集合は、ＤＭＲＳポートの集合の開始／最後のｅＣＣＥインデックスを使用して決定されることができる。
【００６０】
図７は、本発明の一実施形態によって結合レベル１、２、４、及び８を考慮するｅＣＣＥｓとＤＭＲＳポートとの間の暗黙的マッピングを示す。ここでは１／３−ＲＢｅＣＣＥ構造が使用される場合の全ての結合レベル分布を示す。
【００６１】
前述したようなポートマッピングパターンは、基本パターン（basic pattern）として定義され、ＤＭＲＳアンテナポートは、eＰＤＣＣＨの開始／最後のｅＣＣＥインデックスにより決定される。一例として、図４（b）のパターンが基本パターンとして選択され、eＰＤＣＣＨがＲＢ内の０番目のｅＣＣＥで始まる場合、図７で全てのｅＣＣＥｓは、該当ｅＣＣＥがどんな結合レベルを使用しているのかに関係なく送信及び受信のためにＤＭＲＳポート７を使用する。eＰＤＣＣＨがＲＢ内の１番目のｅＣＣＥで始まる場合、全てのｅＣＣＥｓは、該当ｅＣＣＥがどんな結合レベルを使用しているのかに関係なく送信及び受信のためにＤＭＲＳポート８を使用する。
【００６２】
図５乃至７では、各ｅＣＣＥのために一つのポートだけが使用される例を示す。他の実施形態として、ｅＣＣＥｓの各々のために２個以上のアンテナポートが割り当てられることがある。一例として、ＤＭＲＳポートはグループに分割されることができ、各グループは一個又は複数のアンテナポートを含み、一個のグループのＤＭＲＳポートがｅＣＣＥの各々に割り当てられる。他の実施形態として、ＵＥは、eＰＤＣＣＨの送信階層（transmit layers）を有するように構成されることができ、eＰＤＣＣＨが一個以上の階層を有するように構成される場合、各ｅＣＣＥに複数のアンテナポートが割り当てられる。ＵＥは、上位階層送信が構成される場合に新たなポート−グループマッピング規則を使用する。
【００６３】
ＵＥはさらに他のＤＭＲＳパラメータとして、スクランブリング識別子（scrambling ＩＤ:ＳＣＩＤ）を獲得すべきである。ＳＣＩＤとして「０」又は「１」を考慮する場合、ＳＣＩＤは適用されるＤＭＲＳのシケースを定義する。本発明の望ましい実施形態で、システムは全てのｅＰＤＣＣＨに対してＳＣＩＤ＝０を定義することができる。本発明の他の実施形態で、システムはＵＥ−ＩＤに対応するようにＳＣＩＤを適用でき、一例として、ＳＣＩＤ＝ＵＥ−ＩＤｍｏｄ２である。
【００６４】
eＰＤＣＣＨに対してｅＣＣＥｓをＤＭＲＳポートにマッピングする場合に、開始ＣＣＥ＃がnｅＣＣＥstartingであるeＰＤＣＣＨに対して、1−階層送信が定義される場合、上記送信のために下記＜数式１＞のようなアンテナポートが使用される。
【００６５】
【数２】
2015501586.tif 000004
【００６６】
また、２−階層送信が定義される場合に、上記送信のために下記＜数式２＞のようなアンテナポートが使用される。
【００６７】
【数３】
2015501586.tif 000005
【００６８】
また、２−階層送信が定義される場合に、上記送信のために下記＜数式３＞のようなアンテナポートが使用される。
【００６９】
【数４】
2015501586.tif 000006
【００７０】
ここで、ポート番号とポートグルーピングはシステム具現によって変更できる。
【００７１】
他の実施形態で、eＰＤＣＣＨ復調のために使用されるＤＭＲＳポートは、eＰＤＣＣＨの結合レベルとｅＣＣＥのインデックスにより決定される。上述した通り、ｅＣＣＥのインデックスは特定ｅＣＣＥに属するＲＥの位置に該当する。各ｅＣＣＥがＲＢの１／４を占める図３のｅＣＣＥｓ構造に基づく場合、eＰＤＣＣＨ結合レベルの可能な組合せは下記の通りである。
【００７２】
◆結合レベル１の４個のｅＰＤＣＣＨ
◆結合レベル２の１個のｅＰＤＣＣＨと結合レベル１の２個のｅＰＤＣＣＨ
◆結合レベル２の２個のｅＰＤＣＣＨ
◆結合レベル４の１個のｅＰＤＣＣＨ
【００７３】
上記の四つの場合の各々に対して、ｅＰＤＣＣＨは異なるｅＣＣＥを有する異なる組合せで発生できる。一例として、結合レベル２の一つのｅＰＤＣＣＨと結合レベル１の２個のｅＰＤＣＣＨの場合、結合レベル２のｅＰＤＣＣＨは、ＲＢの４個のｅＣＣＥｓのうちいずれか一つで発生できる。ｅＰＤＣＣＨ送信で、このような柔軟性を許可することは、ｅＰＤＣＣＨ構成とｅＰＤＣＣＨブラインドデコーディングに関連した複雑度を増加させるだけでなく、望ましくもない。
【００７４】
図８は、本発明の一実施形態によって異なる結合レベルを有するeＰＤＣＣＨの送信のために使用されるｅＣＣＥｓを示す。
【００７５】
各結合レベルに対するｅＣＣＥ位置を考慮するeＰＤＣＣＨ送信の提案された方法で、結合レベル２を有するｅＰＤＣＣＨの送信のために可能なｅＣＣＥｓはｅＣＣＥ０とｅＣＣＥ１又はｅＣＣＥ２とｅＣＣＥ３に制限される。結合レベル２のｅＰＤＣＣＨを送信するのに使用できるｅＣＣＥｓの組合せを制限させることによって、ＵＥのためのeＰＤＣＣＨ探索複雑度はより簡単になり得る。その上、図８に示される構造は、特定eＰＤＣＣＨとＤＭＲＳポートをリンク（link）する方法を考慮できる。
【００７６】
図８で、eＰＤＣＣＨのためのＤＭＲＳポートの必要個数はeＰＤＣＣＨの結合レベルに基づくことが分かる。一例として、図８（ａ）に示されるようにＲＢで結合レベル１を有する４個のｅＰＤＣＣＨを送信する場合、４個のＤＭＲＳポートが上記ＲＢのために必要である。しかし、図８（ｄ）に示されるようにＲＢで結合レベル４を有する一つのｅＰＤＣＣＨを送信する場合、一つのＤＭＲＳポートが上記ＲＢのために必要である。異なる結合レベルに対するｅＰＤＣＣＨの送信のために使用されるｅＣＣＥｓの個数を考慮する場合、各結合レベルのためのＤＭＲＳポートの決定のために下記のような方法が適用されることができる。
【００７７】
◆結合レベル１：
−ｅＣＣＥ０上のｅＰＤＣＣＨはＤＭＲＳポート７を使用する。
−ｅＣＣＥ１上のｅＰＤＣＣＨはＤＭＲＳポート８を使用する。
−ｅＣＣＥ２上のｅＰＤＣＣＨはＤＭＲＳポート９を使用する。
−ｅＣＣＥ３上のｅＰＤＣＣＨはＤＭＲＳポート１０を使用する。
◆結合レベル２：
−ｅＣＣＥ０とｅＣＣＥ１上のｅＰＤＣＣＨはＤＭＲＳポート７を使用する。
−ｅＣＣＥ２とｅＣＣＥ３上のｅＰＤＣＣＨはＤＭＲＳポート８を使用する。
◆結合レベル４：ｅＰＤＣＣＨはＤＭＲＳポート７を使用する。
◆結合レベル８：ｅＰＤＣＣＨはＤＭＲＳポート７を使用する。
【００７８】
上記のような実施形態は、局部的（localized）ｅＣＣＥ伝送を用いて説明したが、上記で説明した実施形態の規則は、普遍性（generality）を有して分散（distributed）ｅＣＣＥ伝送にも適用でき、分散（distributed）ｅＣＣＥ伝送でｅＣＣＥインデックスは、関連インデックス（relative indices）を獲得するモジュール動作で送信される。関連インデックスは、局部的（localized）ｅＣＣＥ伝送の場合で説明したようにＲＢ（グループ）内のｅＣＣＥインデックスにかえてＤＭＲＳポートを決定するために使用されることができる。
【００７９】
図９は、本発明の一実施形態によるｅＮＢ側でのeＰＤＣＣＨスケジューリング手順を示す。
【００８０】
図９を参照すれば、ステップ９１０で、各サブフレームに対して、ｅＮＢはスケジューリングされる各ＵＥのためのｅＰＤＣＣＨ及びＰＤＳＣＨリソースをスケジューリングする。ステップ９２０で、ｅＰＤＣＣＨ目的で割り当てられた各ｅＣＣＥに対して、ｅＮＢは、本発明の実施形態に定義されるマッピング規則に対応するように、どんなＤＭＲＳポートが使用されるかを決定する。ステップ９３０で、ｅＮＢは、上記スケジューリングされたｅＰＤＣＣＨを各ＤＭＲＳポートを使用して送信するだけでなく、ＰＤＳＣＨをスケジューリングする。
【００８１】
図１０は、本発明の一実施形態によるＵＥ側でのｅＰＤＣＣＨスケジューリング手順を示す。
【００８２】
図１０を参照すれば、ステップ１０１０で、各サブフレームに対して、ＵＥは各ｅＰＤＣＣＨ結合レベルのための探索空間を決定する。ステップ１０２０で、上記探索空間で可能な各リソース割当に対して、ＵＥは、本発明の実施形態で定義されたマッピング規則に対応するようにどんなＤＭＲＳポートが使用されるのかを決定する。ステップ１０３０で、ＵＥは、ＤＭＲＳポートを使用して各探索空間で可能なリソース割当の各々を検査することで、ｅＰＤＣＣＨのブラインドデコーディングを試す。ステップ１０４０で、ｅＰＤＣＣＨが一度デコーディングされた後、ＵＥは、異なるように定義された制御チャネル及びデータチャネル両方のための後続プロセスを持続的に実行する。
【００８３】
図１１は、本発明の一実施形態によるｅＮＢの構成を示したブロック図である。
【００８４】
図１１に示すように、ｅＮＢは、制御機１１０２と制御チャネル送信機１１０４及びデータチャネル送受信機１１０６を含んで構成される。制御機１１０２は、各ＵＥのためのＰＤＳＣＨをスケジュールする一方、制御情報を生成する。制御チャネル送信機１１０４は、制御機１１０２の制御下に一つ又はそれ以上のＣＣＥ（又はｅＣＣＥ）と一つ又はそれ以上のＤＭＲＳアンテナポートを使用して制御情報を伝送する。
【００８５】
図１２は、本発明の一実施形態によるＵＥの構成を示すブロック図である。
【００８６】
図１２に示すように、ＵＥは、制御機１２０２と制御チャネル受信機１２０４とデータチャネル送受信機１２０６を含んで構成される。制御チャネル受信機１２０４は、制御機１２０２の制御下に一つ又はそれ以上のＣＣＥ（又はｅＣＣＥ）と一つ又はそれ以上のＤＭＲＳアンテナポートを使用して制御情報を受信する。制御機１２０２は、制御チャネル受信機１２０４の受信を制御して受信された制御情報を復号及び解析する。
【００８７】
一方、本発明の詳細な説明では具体的な実施形態に関し説明したが、本発明の範囲から逸脱しない範囲内で様々なな変形が可能である。したがって、本発明の範囲は説明された実施形態に限定されて決まるのではなく、後述する特許請求範囲及びそれと均等なものにより定められるべきである。
【符号の説明】
【００８８】
１１０２  制御機
１１０４  制御チャネル送信機
１１０６  データチャネル送受信機
１２０２  制御機
１２０４  制御チャネル受信機
１２０６  データチャネル送受信機
【図１】
2015501586.tif 000007
【図２】
2015501586.tif 000008
【図３】
2015501586.tif 000009
【図４】
2015501586.tif 000010
【図５】
2015501586.tif 000011
【図６】
2015501586.tif 000012
【図７】
2015501586.tif 000013
【図８】
2015501586.tif 000014
【図９】
2015501586.tif 000015
【図１０】
2015501586.tif 000016
【図１１】
2015501586.tif 000017
【図１２】
2015501586.tif 000018
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
複数のアンテナポートを備える無線通信システムにおいて、ユーザ端末機（ＵＥ）に制御情報を送信するための方法であって、
制御情報を生成するステップと、
前記制御情報を、少なくとも一つの制御チャネルエレメント（ｅＣＣＥ）及び少なくとも一つのアンテナポートを使用して伝送するステップと、を含み、
前記少なくとも一つのアンテナポートは、前記少なくとも一つの制御チャネルエレメントの開始インデックスによって決定されることを特徴とする制御情報の送信方法。
【請求項２】
前記開始インデックスは、
ポテンシャル制御情報の送信のために割り当てられた全てのリソース内の前記少なくとも一つの制御チャネルエレメントの開始インデックス及び、リソースブロック内の前記少なくとも一つの制御チャネルエレメントの開始インデックスのうち一つを含むことを特徴とする請求項１に記載の制御情報の送信方法。
【請求項３】
前記少なくとも一つのアンテナポートは、
前記ユーザ端末機に伝送される基準信号により表されることを特徴とする請求項１に記載の制御情報の送信方法。
【請求項４】
前記少なくとも一つのアンテナポートは、
ポテンシャル制御情報の送信のために割り当てられた全てのリソース内で、前記制御情報の送信のために使用される前記少なくとも一つの制御チャネルエレメントの最大制御チャネルエレメントインデックスと、
ポテンシャル制御情報の送信のために割り当てられた全てのリソース内で、前記制御情報の送信のために使用される前記少なくとも一つの制御チャネルエレメントの最小制御チャネルエレメントインデックスと、
一つのリソースブロック内で、前記制御情報の送信のために使用される前記少なくとも一つの制御チャネルエレメントの最大制御チャネルエレメントインデックスと、
一つのリソースブロック内で前記制御情報の送信のために使用される前記少なくとも一つの制御チャネルエレメントの最小制御チャネルエレメントインデックスと、
前記制御情報の送信のために使用される前記少なくとも一つの制御チャネルエレメントの個数のうち少なくとも一つをさらに考慮して決定されることを特徴とする請求項１に記載の制御情報の送信方法。
【請求項５】
前記少なくとも一つのアンテナポートは、
現在サブフレームのインデックスと、
前記ユーザ端末機（ＵＥ）のＩＤのうち一つをさらに考慮して決定されることを特徴とする請求項１に記載の制御情報の送信方法。
【請求項６】
前記少なくとも一つの制御チャネルエレメントは、複数の制御チャネルエレメントを含むリソースブロックの一部であることを特徴とする請求項１に記載の制御情報の送信方法。
【請求項７】
複数のアンテナポートを備える無線通信システムにおいて、基地局（ｅＮＢ）から制御情報を受信するための方法であって、
少なくとも一つの制御チャネルエレメント（ｅＣＣＥ）と少なくとも一つのアンテナポートを使用して送信される制御情報を受信するステップと、
前記制御情報をデコーディングするステップと、を含み、
前記少なくとも一つのアンテナポートは、前記少なくとも一つの制御チャネルエレメントの開始インデックスによって決定されることを特徴とする制御情報受信方法。
【請求項８】
複数のアンテナポートを備える無線通信システムにおいてユーザ端末機（ＵＥ）に制御情報を送信するための基地局（ｅＮＢ）装置であって、
制御情報を生成する制御機と、
前記制御情報を、少なくとも一つの制御チャネルエレメント（ｅＣＣＥ）及び少なくとも一つのアンテナポートを使用して伝送する送信機と、を含み、
前記少なくとも一つのアンテナポートは、前記少なくとも一つの制御チャネルエレメントの開始インデックスによって決定されることを特徴とする基地局装置。
【請求項９】
複数のアンテナポートが備われる無線通信システムにおいて基地局（ｅＮＢ）から制御情報を受信するためのユーザ端末機（ＵＥ）装置であって、
少なくとも一つの制御チャネルエレメント（ｅＣＣＥ）と少なくとも一つのアンテナポートを使用して送信される制御情報を受信する受信機と、
前記制御情報をデコーディングする制御機と、を含み、
前記少なくとも一つのアンテナポートは、前記少なくとも一つの制御チャネルエレメントの開始インデックスによって決定されることを特徴とするユーザ端末機装置。
【請求項１０】
前記少なくとも一つのアンテナポートは、前記少なくとも一つの制御チャネルエレメントの結合レベルをさらに考慮して決定されることを特徴とする請求項９に記載のユーザ端末機装置。
【請求項１１】
前記開始インデックスは、
ポテンシャル制御情報の送信のために割り当てられた全てのリソース内の前記少なくとも一つの制御チャネルエレメントの開始インデックス及び、リソースブロック内の前記少なくとも一つの制御チャネルエレメントの開始インデックスのうち一つを含むことを特徴とする請求項９に記載のユーザ端末機装置。
【請求項１２】
前記少なくとも一つのアンテナポートは、前記ユーザ端末機に伝送される基準信号により表されることを特徴とする請求項９に記載のユーザ端末機装置。
【請求項１３】
前記少なくとも一つのアンテナポートは、
ポテンシャル制御情報の送信のために割り当てられた全てのリソース内で、前記制御情報の送信のために使用される前記少なくとも一つの制御チャネルエレメントの最大制御チャネルエレメントインデックスと、
ポテンシャル制御情報の送信のために割り当てられた全てのリソース内で、前記制御情報の送信のために使用される前記少なくとも一つの制御チャネルエレメントの最小制御チャネルエレメントインデックスと、
一つのリソースブロック内で、前記制御情報の送信のために使用される前記少なくとも一つの制御チャネルエレメントの最大制御チャネルエレメントインデックスと、
一つのリソースブロック内で前記制御情報の送信のために使用される前記少なくとも一つの制御チャネルエレメントの最小制御チャネルエレメントインデックスと、
前記制御情報の送信のために使用される前記少なくとも一つの制御チャネルエレメントの個数のうち少なくとも一つをさらに考慮して決定されることを特徴とする請求項９に記載のユーザ端末機装置。
【請求項１４】
前記少なくとも一つのアンテナポートは、
現在サブフレームのインデックスと、
前記ユーザ端末機（ＵＥ）のＩＤのうち一つをさらに考慮して決定されることを特徴とする請求項９に記載のユーザ端末機装置。
【請求項１５】
前記少なくとも一つの制御チャネルエレメントは、複数の制御チャネルエレメントを含むリソースブロックの一部であることを特徴とする請求項９に記載のユーザ端末機装置。
【請求項１６】
前記少なくとも一つのアンテナポートは、前記少なくとも一つの制御チャネルエレメントの結合レベルをさらに考慮して決定されることを特徴とする請求項１に記載の制御情報の送信方法。
【請求項１７】
前記少なくとも一つのアンテナポートは、前記少なくとも一つの制御チャネルエレメントの結合レベルをさらに考慮して決定されることを特徴とする請求項７に記載の制御情報受信方法。
【請求項１８】
前記開始インデックスは、
ポテンシャル制御情報の送信のために割り当てられた全てのリソース内の前記少なくとも一つの制御チャネルエレメントの開始インデックス及び、リソースブロック内の前記少なくとも一つの制御チャネルエレメントの開始インデックスのうち一つを含むことを特徴とする請求項７に記載の制御情報受信方法。
【請求項１９】
前記少なくとも一つのアンテナポートは、ユーザ端末機に伝送される基準信号により表されることを特徴とする請求項７に記載の制御情報受信方法。
【請求項２０】
前記少なくとも一つのアンテナポートは、
ポテンシャル制御情報の送信のために割り当てられた全てのリソース内で、前記制御情報の送信のために使用される前記少なくとも一つの制御チャネルエレメントの最大制御チャネルエレメントインデックスと、
ポテンシャル制御情報の送信のために割り当てられた全てのリソース内で、前記制御情報の送信のために使用される前記少なくとも一つの制御チャネルエレメントの最小制御チャネルエレメントインデックスと、
一つのリソースブロック内で、前記制御情報の送信のために使用される前記少なくとも一つの制御チャネルエレメントの最大制御チャネルエレメントインデックスと、
一つのリソースブロック内で前記制御情報の送信のために使用される前記少なくとも一つの制御チャネルエレメントの最小制御チャネルエレメントインデックスと、
前記制御情報の送信のために使用される前記少なくとも一つの制御チャネルエレメントの個数のうち少なくとも一つをさらに考慮して決定されることを特徴とする請求項７に記載の制御情報受信方法。
【請求項２１】
前記少なくとも一つのアンテナポートは、
現在サブフレームのインデックスと、
ユーザ端末機（ＵＥ）のＩＤのうち一つをさらに考慮して決定されることを特徴とする請求項７に記載の制御情報受信方法。
【請求項２２】
前記少なくとも一つの制御チャネルエレメントは、複数の制御チャネルエレメントを含むリソースブロックの一部であることを特徴とする請求項７に記載の制御情報受信方法。
【請求項２３】
前記少なくとも一つのアンテナポートは、前記少なくとも一つの制御チャネルエレメントの結合レベルをさらに考慮して決定されることを特徴とする請求項８に記載の基地局装置。
【請求項２４】
前記開始インデックスは、
ポテンシャル制御情報の送信のために割り当てられた全てのリソース内の前記少なくとも一つの制御チャネルエレメントの開始インデックス及び、リソースブロック内の前記少なくとも一つの制御チャネルエレメントの開始インデックスのうち一つを含むことを特徴とする請求項８に記載の基地局装置。
【請求項２５】
前記少なくとも一つのアンテナポートは、前記ユーザ端末機に伝送される基準信号により表されることを特徴とする請求項８に記載の基地局装置。
【請求項２６】
前記少なくとも一つのアンテナポートは、
ポテンシャル制御情報の送信のために割り当てられた全てのリソース内で、前記制御情報の送信のために使用される前記少なくとも一つの制御チャネルエレメントの最大制御チャネルエレメントインデックスと、
ポテンシャル制御情報の送信のために割り当てられた全てのリソース内で、前記制御情報の送信のために使用される前記少なくとも一つの制御チャネルエレメントの最小制御チャネルエレメントインデックスと、
一つのリソースブロック内で、前記制御情報の送信のために使用される前記少なくとも一つの制御チャネルエレメントの最大制御チャネルエレメントインデックスと、
一つのリソースブロック内で前記制御情報の送信のために使用される前記少なくとも一つの制御チャネルエレメントの最小制御チャネルエレメントインデックスと、
前記制御情報の送信のために使用される前記少なくとも一つの制御チャネルエレメントの個数のうち少なくとも一つをさらに考慮して決定されることを特徴とする請求項８に記載の基地局装置。
【請求項２７】
前記少なくとも一つのアンテナポートは、
現在サブフレームのインデックスと、
前記ユーザ端末機（ＵＥ）のＩＤのうち一つをさらに考慮して決定されることを特徴とする請求項８に記載の基地局装置。
【請求項２８】
前記少なくとも一つの制御チャネルエレメントは、複数の制御チャネルエレメントを含むリソースブロックの一部であることを特徴とする請求項８に記載の基地局装置。
【国際調査報告】
2015501586.tif 000019
2015501586.tif 000020